(57)【要約】【課題】オーバーヘッドモジュールに設けられた室内灯目掛けて車内に虫が侵入した場合であっても、オーバーヘッドモジュール内に虫が侵入して人侵入検知センサが誤動作するのを防止することができる虫侵入防止装置の提供。【解決手段】車室内の動く物体を検知する人侵入検知センサが内蔵されたオーバーヘッドモジュール内に虫が侵入するのを防止する虫侵入防止装置であって、人侵入検知センサの検知領域側部分と当該部分を覆うオーバーヘッドモジュールの内壁面との間の空間に虫忌避剤または殺虫剤が充満するように車載電源からの電流を電力源として虫忌避剤または殺虫剤を散布する薬剤散布部を備える。【選択図】図２
2009274623.tif 000002
【特許請求の範囲】
【請求項１】
自動車の車室内の動く物体を検知する人侵入検知センサが内蔵されたオーバーヘッドモジュール内に虫が侵入するのを防止する虫侵入防止装置であって、
前記人侵入検知センサの検知領域側部分と当該部分を覆う前記オーバーヘッドモジュールの内壁面との間の空間に虫忌避剤または殺虫剤を充満させるように車載電源からの電流を電力源として虫忌避剤または殺虫剤を散布する薬剤散布部を備えた、虫侵入防止装置。
【請求項２】
前記車載電源から前記薬剤散布部への電力供給のオン、オフを切り替えて前記薬剤散布部に散布、散布の停止を交互に繰り返させるスイッチ部をさらに備えた、請求項１に記載の虫侵入防止装置。
【請求項３】
前記オーバーヘッドモジュールは、室内灯をさらに備え、
前記空間は、前記室内灯からの熱を放熱する開口部と連通しており、
前記虫忌避剤または殺虫剤の散布は、前記開口部付近で行われることを特徴とする請求項２に記載の虫侵入防止装置。
【請求項４】
前記薬剤散布部は、前記車載電源からの電流を電力源として前記虫忌避剤または殺虫剤を染み込ませたマットを加熱する加熱部を含み、当該加熱部で前記マットを加熱することにより、前記虫忌避剤または殺虫剤の散布を行うことを特徴とする請求項２に記載の虫侵入防止装置。
【請求項５】
前記薬剤散布部は、前記車載電源からの電流を電力源として回転するファンを含み、当該ファンを回転させ、前記虫忌避剤または殺虫剤にファンの風を当てることにより、前記虫忌避剤または殺虫剤の散布を行うことを特徴とする請求項２に記載の虫侵入防止装置。
【請求項６】
自動車の車室内の動く物体を検知する人侵入検知センサが内蔵されたオーバーヘッドモジュール内に虫が侵入するのを防止する虫侵入防止方法であって、
前記人侵入検知センサの検知領域側部分と当該部分を覆う前記オーバーヘッドモジュールの内壁面との間の空間に虫忌避剤または殺虫剤を充満させるように車載電源からの電流を電力源として虫忌避剤または殺虫剤を散布する、虫侵入防止方法。
【請求項７】
前記虫忌避剤または殺虫剤の散布は、前記車載電源からの電力供給のオン、オフを切り替えて前記虫忌避剤または殺虫剤の散布、散布の停止を交互に繰り返すことで行われることを特徴とする請求項６に記載の虫侵入防止方法。
【請求項８】
自動車の車室内の動く物体を検知する人侵入検知センサが内蔵されたオーバーヘッドモジュールであって、
前記人侵入検知センサの検知領域側部分と当該部分を覆う前記オーバーヘッドモジュールの内壁面との間の空間に虫忌避剤または殺虫剤を充満させるように車載電源からの電流を電力源として虫忌避剤または殺虫剤を散布する薬剤散布部を備えた、オーバーヘッドモジュール。
【請求項９】
前記車載電源から前記薬剤散布部への電力供給のオン、オフを切り替えて前記薬剤散布部に散布、散布の停止を交互に繰り返させるスイッチ部をさらに備えた、請求項８に記載のオーバーヘッドモジュール。
【発明の詳細な説明】
【技術分野】
【０００１】
虫侵入防止装置、虫侵入防止方法、およびオーバーヘッドモジュールに関し、より詳しくは、オーバーヘッドモジュールに設けられた室内灯目掛けて車内に虫が侵入した場合であっても、その虫がオーバーヘッドモジュール内に侵入して人侵入検知センサが誤動作するのを防止することができる虫侵入防止装置、虫侵入防止方法、およびオーバーヘッドモジュールに関する。
【背景技術】
【０００２】
近年、防犯のために自動車の室内に人が侵入したことを検知する人侵入検知センサが搭載された自動車が実用化されている。検知方式としては、例えば、車室内に電波を放射して電波が当たった物体からの反射波の周波数等に基づいて動く物体を検知する電波式、車室内に超音波を放射して超音波が当たった物体からの反射波の周波数等に基づいて動く物体を検知する超音波式がある。
【０００３】
この種の人侵入検知センサは、運転席と助手席の間の天井面に設けられたオーバーヘッドモジュール内に設けられている場合がある。図４は、人侵入検知センサが内蔵されたオーバーヘッドモジュールの一例を示す斜視図である。図５は、図４におけるオーバーヘッドモジュールをＡ−Ａ線で切断したときの端面をＢ方向から見た矢視図である。符号１８はルームミラーを示し、符号１９はサンバイザーを示している。
【０００４】
オーバーヘッドモジュール４０は、図４、５に示されるように、人侵入検知センサ３と、室内灯２と、小物入れ１５と、室内灯操作ボタン１６と、レンズ１７とを備えている。
【０００５】
人侵入検知センサ３は、オーバーヘッドモジュール４０の前後方向中央部に内蔵されており、検知領域側部分６（図５参照）を斜め下方に向けて配置されている。検知領域側部分６からは電波または超音波が放射される。人侵入検知センサ３は駐車中に作動する。人侵入検知センサ３は、電波または超音波を室内に放射し、室内の物体からの反射波の周波数や位相等に基づいて、室内で動く物体を検知する。通常、ユーザが居ない駐車中は、室内に動く物体は存在しない。よって、駐車中に動く物体が検知されれば、人侵入検知センサ３は人が侵入したと判断し、警報音を出すか或いはセキュリティセンターに通報する。
【０００６】
人侵入検知センサ３の右隣および左隣にはそれぞれ室内灯２が設けられている。人侵入検知センサ３および室内灯２の下方には、人侵入検知センサ３および室内灯２を覆うようにレンズ１７が設けられている。レンズ１７は、室内灯２の光の進行方向を調節するとともに、人侵入検知センサ３を保護する。レンズ１７は、人侵入検知センサ３から放射された電波および超音波を透過することができる。
【０００７】
しかしながら、このオーバーヘッドモジュール４０には、以下のような課題があった。
すなわち、蚊、ハエ、蛾等の虫は光に集まる習性があるため、室内灯２を点灯していると、オーバーヘッドモジュール４０内にこれらの虫が侵入することがある。虫が人侵入検知センサ３の検知領域側部分６とレンズ１７の間の空間８（図５参照）に侵入し、空間８内で動き回ると、人侵入検知センサ３が動く虫を検知し、人が侵入したと誤判断することがあった。このような誤判断があると、警報音やセキュリティセンターへの通報がなされるため、ユーザは非常に煩わしく感じてしまうという課題があった。
【０００８】
特許文献１には、車内に虫が侵入したことを検知し、虫を検知したという情報を虫検知の日時および場所の情報とともに記憶し、記憶した情報に基づいて虫が侵入し易い場所および時間を推定し、その推定日時および場所に自動車が到来したときに、パワーウィンドウを自動的に閉めるようにした技術が開示されている。
【０００９】
しかしながら、この技術は、室内灯目掛けて車内に侵入してきた虫が人侵入検知センサの近傍で動き回ることを防止する技術ではなく、虫が車内に侵入してきた場合にはその虫に対処することができない。
【特許文献１】特開２００６−９４１５号公報
【発明の開示】
【発明が解決しようとする課題】
【００１０】
本発明は、このような実情に鑑みてなされたもので、オーバーヘッドモジュールに設けられた室内灯目掛けて車内に虫が侵入した場合であっても、その虫がオーバーヘッドモジュール内に侵入して人侵入検知センサが誤動作するのを防止することができる虫侵入防止装置、虫侵入防止方法、およびオーバーヘッドモジュールの提供を目的とする。
【課題を解決するための手段】
【００１１】
本発明に係る虫侵入防止装置は、
自動車の車室内の動く物体を検知する人侵入検知センサが内蔵されたオーバーヘッドモジュール内に虫が侵入するのを防止する虫侵入防止装置であって、
上記人侵入検知センサの検知領域側部分と当該部分を覆う上記オーバーヘッドモジュールの内壁面との間の空間に虫忌避剤または殺虫剤を充満させるように車載電源からの電流を電力源として虫忌避剤または殺虫剤を散布する薬剤散布部を備える。
【００１２】
本発明によれば、人侵入検知センサの検知領域側部分と当該部分を覆うオーバーヘッドモジュールの内壁面との間の空間に虫忌避剤または殺虫剤を充満させるように、車載電源からの電流を電力源として虫忌避剤または殺虫剤を散布する。よって、オーバーヘッドモジュールの上記空間内に虫が侵入するのが防止される。例え当該空間内に虫が侵入しても、虫忌避剤または殺虫剤によって虫の動きが封じられる。従って、人侵入検知センサは、動く虫を検知して人が侵入したと誤判断することがない。
【００１３】
本発明においては、
上記車載電源から上記薬剤散布部への電力供給のオン、オフを切り替えて上記薬剤散布部に散布、散布の停止を交互に繰り返させるスイッチ部をさらに備えることが好ましい。
【００１４】
この構成によれば、車載電源から薬剤散布部への電力供給のオン、オフが繰り返されるので、エンジンが停止している駐車中における車載電源の電力消費を低減することができる。
【００１５】
本発明においては、
上記空間は、上記室内灯からの熱を放熱する開口部と連通しており、
上記虫忌避剤または殺虫剤の散布は、上記開口部付近で行われることが好ましい。
【００１６】
この構成によれば、虫忌避剤または殺虫剤の散布は、虫の侵入経路の入り口付近で散布が行われることとなり、より確実に上記空間への虫の侵入を防止することができる。
【００１７】
本発明においては、上記薬剤散布部は、上記車載電源からの電流を電力源として上記虫忌避剤または殺虫剤を染み込ませたマットを加熱する加熱部を含み、当該加熱部で上記マットを加熱することにより、前記虫忌避剤または殺虫剤の散布を行うことが好ましい。
【００１８】
この構成によれば、簡単な構成で虫忌避剤または殺虫剤の散布を行うことができる。
【００１９】
本発明においては、
上記薬剤散布部は、上記車載電源からの電流を電力源として回転するファンを含み、当該ファンを回転させ、上記虫忌避剤または殺虫剤にファンの風を当てることにより、上記虫忌避剤または殺虫剤の散布を行うことが好ましい。
【００２０】
この構成によれば、簡単な構成で虫忌避剤または殺虫剤の散布を行うことができる。
【００２１】
本発明に係る虫侵入防止方法は、
自動車の車室内の動く物体を検知する人侵入検知センサが内蔵されたオーバーヘッドモジュール内に虫が侵入するのを防止する虫侵入防止方法であって、
上記人侵入検知センサの検知領域側部分と当該部分を覆う上記オーバーヘッドモジュールの内壁面との間の空間に虫忌避剤または殺虫剤を充満させるように車載電源からの電流を電力源として虫忌避剤または殺虫剤を散布する。
【００２２】
本発明においては、
上記虫忌避剤または殺虫剤の散布は、上記車載電源から上記薬剤散布部への電力供給のオン、オフを切り替えて上記薬剤散布部に散布、散布の停止を交互に繰り返させることで行われることが好ましい。
【００２３】
本発明に係るオーバーヘッドモジュールは、
自動車の車室内の動く物体を検知する人侵入検知センサが内蔵されたオーバーヘッドモジュールであって、
上記人侵入検知センサの検知領域側部分と当該部分を覆う上記オーバーヘッドモジュールの内壁面との間の空間に虫忌避剤または殺虫剤を充満させるように車載電源からの電流を電力源として虫忌避剤または殺虫剤を散布する薬剤散布部を備える。
【００２４】
本発明においては、
上記車載電源から上記薬剤散布部への電力供給のオン、オフを切り替えて上記薬剤散布部に散布、散布の停止を交互に繰り返させるスイッチ部をさらに備えることが好ましい。
【発明の効果】
【００２５】
本発明によれば、オーバーヘッドモジュールに設けられた室内灯目掛けて車内に虫が侵入した場合であっても、オーバーヘッドモジュール内に虫が侵入して人侵入検知センサが誤動作するのを防止することができる。また、例えオーバーヘッドモジュール内に虫が侵入しても、その虫の動きを封じることができる。
【発明を実施するための最良の形態】
【００２６】
（第１実施形態）
本発明の第１実施形態に係る虫侵入防止装置について、図面を参照しつつ説明する。
図１は、第１実施形態に係る虫侵入防止装置が設けられたオーバーヘッドモジュールを示す斜視図である。図２は、図１におけるオーバーヘッドモジュールをＡ−Ａ線で切断したときの端面をＢ方向から見た矢視図である。図３は、第１実施形態に係る虫侵入防止装置の動作を示すタイミングチャートである。
【００２７】
第１実施形態に係る虫侵入防止装置１は、自動車の室内灯２と車室内の動く物体を検知する人侵入検知センサ３とが内蔵されたオーバーヘッドモジュール４内に虫が侵入するのを防止するものである。符号１８はルームミラーを示し、符号１９はサンバイザーを示している。オーバーヘッドモジュール４は、室内側の天井面に設けられ、例えばルームミラー１８の直ぐ後ろに位置する。
【００２８】
オーバーヘッドモジュール４は、人侵入検知センサ３と、室内灯２と、小物入れ１５と、室内灯操作ボタン１６と、レンズ１７と、虫侵入防止装置１とを備えている。
【００２９】
人侵入検知センサ３は、オーバーヘッドモジュール４の前後方向中央部に内蔵されており、検知領域側部分６（図２参照）を斜め下方に向けて配置されている。検知領域側部分６からは電波または超音波が放射される。人侵入検知センサ３は駐車中に作動する。人侵入検知センサ３は、電波または超音波を室内に放射し、室内の物体からの反射波の周波数や位相等に基づいて、室内で動く物体を検知する。通常、ユーザが居ない駐車中は、室内に動く物体は存在しない。よって、駐車中に動く物体が検知されれば、人侵入検知センサ３は人が侵入したと判断し、警報音を出すか或いはセキュリティセンターに通報する。
【００３０】
人侵入検知センサ３の右隣および左隣にはそれぞれ室内灯２が設けられている。人侵入検知センサ３および室内灯２の下方には、人侵入検知センサ３および室内灯２を覆うようにレンズ１７が設けられている。レンズ１７は、室内灯２の光の進行方向を調節するとともに、人侵入検知センサ３を保護する。レンズ１７は、人侵入検知センサ３から放射された電波および超音波を透過することができる。
【００３１】
図２に示されるように、虫侵入防止装置１は、薬剤散布部５と、スイッチ部１０とを備えている。
【００３２】
薬剤散布部５は、人侵入検知センサ３の検知領域側部分６と当該部分６を覆うオーバーヘッドモジュール４の内壁面７との間の空間８に虫忌避剤または殺虫剤を充満させるように虫忌避剤または殺虫剤を散布する。薬剤散布部５は、車載電源９からの電流を電力源として散布動作を行う。車載電源９は車載バッテリである。図２に示される例では、レンズ１７が検知領域側部分６を覆っている。従って、検知領域側部分６を覆うオーバーヘッドモジュール４の内壁面７は、レンズ１７の内面である。
【００３３】
薬剤散布部５の構成は特に限定されるものではないが、例えば、薬剤散布部５は、図２に示されるように、虫忌避剤または殺虫剤を染み込ませたマット１２と、マット１２を加熱する加熱部１３とを含む。加熱部１３は抵抗体であり、車載電源９からの電流を電力源として発熱する。加熱部１３がマット１２を加熱することにより、虫忌避剤または殺虫剤がマット１２から蒸散する。これにより、虫忌避剤または殺虫剤の散布が行われる。殺虫剤としては、例えばピレスロイド系の殺虫剤を好適に用いることができる。
【００３４】
空間８は、室内灯２からの熱を放熱する開口部１１と連通している。開口部１１は、図示しない経路を介して室内空間と連通している。薬剤散布部５は、開口部１１付近に位置している。虫忌避剤または殺虫剤の散布は、開口部１１付近で行われる。
【００３５】
スイッチ部１０は、図３に示されるように、車載電源９から薬剤散布部５への電力供給のオン、オフを切り替えて薬剤散布部５に虫忌避剤または殺虫剤の散布、散布の停止を交互に繰り返させる。図３に示される例では、期間Ｔ１、Ｔ３においてスイッチ部１０がオンとなり、虫忌避剤または殺虫剤の散布が行われる。また、期間Ｔ２においてスイッチ部１０がオフとなり、散布が停止される。期間Ｔ１は、警戒準備期間である。警戒準備期間が経過すると、警戒期間となる。警戒期間では、スイッチ１０のオン、オフが周期的に繰り返される。期間Ｔ１は、空間８に虫忌避剤または殺虫剤を最初に充満させる期間であるので、期間Ｔ３よりも長めに設定される。期間Ｔ３は、空間８内に一旦充満した虫忌避剤または殺虫剤の濃度を維持するための期間であるので、期間Ｔ１よりも短めに設定される。期間Ｔ２は、期間Ｔ３の長さに応じて適切な長さに設定される。
【００３６】
次に、虫侵入防止装置１の動作について説明する。
まず、ユーザが車外に出てドアを閉め、ドアをロックする。すると、図示しないロック検知装置によってロック状態が検知される。
【００３７】
ロック検知装置がドアのロックを検知すると、人侵入検知センサ３および虫侵入防止装置１が始動する。人侵入検知センサ３は、車内に電波等を放射し、反射波の周波数や位相等を解析することにより、車内への人の侵入を検知する。虫侵入防止装置１は、空間８内に虫忌避剤または殺虫剤が充満するように、期間Ｔ１の間、虫忌避剤または殺虫剤を散布する。期間Ｔ１が経過すると、虫侵入防止装置１は、期間Ｔ２の間、散布を停止する。期間Ｔ２が経過すると、虫侵入防止装置１は、期間Ｔ３の間、散布を行う。散布と散布の停止は交互に繰り返し行われる。
【００３８】
次いで、ユーザが車外からドアのロックを解除すると、人侵入検知センサ３および虫侵入防止装置１は動作を終了する。すなわち、虫侵入防止装置１は虫忌避剤または殺虫剤の散布を終了する。以上が、虫侵入防止装置１の動作である。
【００３９】
虫侵入防止装置１によれば、人侵入検知センサ３の検知領域側部分６と当該部分６を覆うオーバーヘッドモジュール４の内壁面７との間の空間８に虫忌避剤または殺虫剤を充満させるように虫忌避剤または殺虫剤を散布する。よって、オーバーヘッドモジュール４の空間８内に虫が侵入するのが防止される。また、例え空間８内に虫が侵入しても、虫忌避剤または殺虫剤によって虫の動きが封じられる。従って、人侵入検知センサ３は、動く虫を検知して人が侵入したと誤判断することがない。
【００４０】
また、スイッチ部１０によって車載電源９から薬剤散布部５への電力供給のオン、オフが繰り返されるので、エンジンが停止している駐車中における車載電源９の電力消費を低減することができる。
【００４１】
また、虫忌避剤または殺虫剤の散布がオーバーヘッドモジュール４における虫の侵入経路の入り口１１付近で行われるので、より確実に空間８への虫の侵入を防止することができる。
【００４２】
なお、図２に示される例では、薬剤散布部５はマット加熱式であるが、他の構成であってもよい。例えば、図示はしないが、薬剤散布部は、ファン送風式であってもよい。すなわち、薬剤散布部は車載電源からの電流を電力源として回転するファンを備え、虫忌避剤または殺虫剤にファンの風を当てることにより、虫忌避剤または殺虫剤の散布を行うものであってもよい。
【００４３】
また、図２に示される例では、人侵入検知センサ３の検知領域側部分６はレンズ１７で覆われているが、他の物で覆われていてもよい。例えば、人侵入検知センサ３はオーバーヘッドモジュール４の筐体で覆われていてもよい。この場合、筐体は人侵入検知センサ３から放射される電波或いは超音波を透過する材料で形成される。また、筐体は不透明な材料で形成される。これにより、人侵入検知センサ３は侵入者にその存在を気付かれずに済む。
【産業上の利用可能性】
【００４４】
本発明は、人侵入検知センサが設けられたオーバーヘッドモジュール内に虫が侵入するのを防止する虫侵入防止装置、虫侵入防止方法、およびオーバーヘッドモジュール等に利用可能である。
【図面の簡単な説明】
【００４５】
【図１】第１実施形態に係る虫侵入防止装置が設けられたオーバーヘッドモジュールを示す斜視図
【図２】図１におけるオーバーヘッドモジュールをＡ−Ａ線で切断したときの端面をＢ方向から見た矢視図
【図３】第１実施形態に係る虫侵入防止装置の動作を示すタイミングチャート
【図４】従来のオーバーヘッドモジュールを示す斜視図
【図５】図４におけるオーバーヘッドモジュールをＡ−Ａ線で切断したときの端面をＢ方向から見た矢視図
【符号の説明】
【００４６】
１    虫侵入防止装置
２    室内灯
３    人侵入検知センサ
４    オーバーヘッドモジュール
５    薬剤散布部
６    検知領域側部分
７    オーバーヘッドモジュールの内壁面（レンズの内面）
８    空間
９    車載電源
１０    スイッチ部
１１    開口部
１２    マット
１３    加熱部
１５    小物入れ
１６    室内灯操作ボタン
１７    レンズ
【図１】
2009274623.tif 000003
【図２】
2009274623.tif 000004
【図３】
2009274623.tif 000005
【図４】
2009274623.tif 000006
【図５】
2009274623.tif 000007